(57)【特許請求の範囲】
【請求項１】
遊技盤裏面の機構板に、配線基板が配置されたターミナルボックスを装着してなるパチンコ機において、
前記ターミナルボックスは周囲を側枠で囲い後面を開放したカバー本体と該カバー本体内にあらかじめ固定された配線基板とからなり、前記側枠に配線基板より後方に位置しかつ先端に鉤状部を設けた係止片を複数設け、一方、前記機構板には前記配線基板を押圧するための支持筒と前記各鉤状部に対応位置する係合孔とを設け、前記各鉤状部を各係合孔に係合させると共に前記配線基板を支持筒で押圧することによりターミナルボックスを機構板に取付けるようにしたことを特徴とするパチンコ機におけるターミナルボックスの取付構造。
【請求項２】
遊技盤裏面の機構板に、配線基板が配置されたターミナルボックスを装着してなるパチンコ機において、
前記ターミナルボックスは周囲を側枠で囲い後面を開放したカバー本体と該カバー本体内にあらかじめ固定された配線基板とからなり、前記側枠に先端に鉤状部を設けた係止片を複数設け、一方、前記機構板には前記配線基板を押圧するための支持筒と前記各鉤状部に対応位置する係合孔とを設け、前記各鉤状部を各係合孔に係合させると共に前記配線基板を支持筒で押圧することによりターミナルボックスを機構板に取付けるようにし、前記各係止片は前記側枠にその外側面より外側でありかつ配線基板より後方に位置するようにして設けられていることを特徴とするパチンコ機におけるターミナルボックスの取付構造。
【発明の詳細な説明】
【０００１】
【産業上の利用分野】
本発明は、遊技盤取付枠の一側に開閉自在に装着される機構板にコネクタの接続端子，スピーカー端子，発射モータ電源端子等の電気部品を設けたターミナルボックスの取付構造に関するものである。
【０００２】
【従来の技術】
一般にパチンコ機における前面枠には、大当り表示用ランプ，発射装置の駆動モータ等の電気的作動機器が設けられている。また、遊技盤上には景品球タンクの球切れランプ，入賞球ランプの他に電気的に駆動制御されて遊技球を入賞し易くする大型の変動入賞装置や電気的に表示状態を変化可能な可変表示器等の電気的作動機器が装着されており、遊技盤の裏面には上述の各種電気的作動機器を駆動制御するための回路基板を収納した基板ボックスが装着されている。
これと関連して、機構板には前面枠および遊技盤に設けられた各種電気的作動機器から引き出された複数の配線がコネクタを介して接続されるターミナルボックスを装着している。
前記ターミナルボックスは、例えば図８に示すように内部に配線基板１００が配置されており、機構板１０１の上部の所定位置に取付けられる。すなわち、機構板１０１には左右のそれぞれ２箇所に中心に螺子孔１０２を設けた支持筒１０３，１０３…を突設してなり、一方、ターミナルボックス１０４にはその上面で前記各支持筒１０３，１０３…と対応する位置にそれぞれ透孔１０５を設け、各支持筒１０３，１０３…に各透孔１０５，１０５…を合致させ、逐一ビス１０６を各支持筒１０３，１０３…に螺締して取付けていた。
【０００３】
【発明が解決しようとする課題】
このように従来のパチンコ機におけるターミナルボックス１０４は、機構板１０１にすべて多くのビス１０６，１０６…止めをすることにより取付けていたので、その取付作業に多くの手間と時間を要し、作業能率向上の一弊害になっていたという課題が有った。
また、ターミナルボックス１０４が故障したりして交換する場合も、多くのビス１０６，１０６…をいちいち緩めて取外すことになるので、作業が非常に面倒になるという課題があった。
そこで、本発明は上記課題に鑑みなされたもので、その目的とするところはターミナルボックスの取付や交換作業を容易になし得るようにし、更には、その際に配線基板を損傷させないようにしたパチンコ機におけるターミナルボックスの取付構造を提供せんとするものである。
【０００４】
【課題を解決するための手段】
かかる目的を達成するため、本発明のパチンコ機におけるターミナルボックスの取付構造は、遊技盤裏面の機構板に、配線基板が配置されたターミナルボックスを装着してなるパチンコ機において、前記ターミナルボックスは周囲を側枠で囲い後面を開放したカバー本体と該カバー本体内にあらかじめ固定された配線基板とからなり、前記側枠に配線基板より後方に位置しかつ先端に鉤状部を設けた係止片を複数設け、一方、前記機構板には前記配線基板を押圧するための支持筒と前記各鉤状部に対応位置する係合孔とを設け、前記各鉤状部を各係合孔に係合させると共に前記配線基板を支持筒で押圧することによりターミナルボックスを機構板に取付ける構成とした。
【０００５】
また、遊技盤裏面の機構板に、配線基板が配置されたターミナルボックスを装着してなるパチンコ機において、前記ターミナルボックスは周囲を側枠で囲い後面を開放したカバー本体と該カバー本体内にあらかじめ固定された配線基板とからなり、前記側枠に先端に鉤状部を設けた係止片を複数設け、一方、前記機構板には前記配線基板を押圧するための支持筒と前記各鉤状部に対応位置する係合孔とを設け、前記各鉤状部を各係合孔に係合させると共に前記配線基板を支持筒で押圧することによりターミナルボックスを機構板に取付けるようにし、前記各係止片は前記側枠にその外側面より外側でありかつ配線基板より後方に位置するようにして設けられている構成が採られる。
【０００６】
【作用】
機構板の所定位置に設けられた各係合孔に各係止片先端の鉤状部を押し込み係合させると共に配線基板を支持筒で押圧することにより、ターミナルボックスがガタ付くことなくしっかりと固定して取り付けられる。また、前記各係止片はその鉤状部が配線基板より後方に位置し撓んだとき前記配線基板に触れないように設けられていることから、ターミナルボックスを取り付ける際に、各係止片が配線基板に触れることが無く、このため配線基板が撓んだりして破損するのを防止することができる。
【０００７】
【実施例】
以下、本発明のターミナルボックスの取付構造の一実施例を図面に基づき説明する。
図１は本発明が適用されるパチンコ機１の裏面図を示し、２は前面枠であり、該前面枠２の裏面には遊技盤取付枠３が固着され、また、該遊技盤取付枠３には遊技盤４が着脱自在に装着される。更に、前記前面枠２の裏面下部には打球発射用のモータ５が装着されている。
【０００８】
前記遊技盤取付枠３の一側には合成樹脂製の機構板６が開閉自在に装着され、該機構板６には遊技盤４の裏面に相対する板状部６ａの前面に入賞球集合カバー７が収容される球寄せ空間８が形成され、その球寄せ空間８の下方部に入賞球集合通路９を形成している。
一方、前記板状部６ａの裏面上部には景品球タンク１０が設けられる。該景品球タンク１０の下方には、景品球を整列して導き出す樋レール１１が形成され、この樋レール１１の下端には景品球払出装置１２が配設される。また、前記入賞球集合通路９の終端部分には入賞球排出処理装置１３が設けられる。この入賞球排出処理装置１３は、モータ１４の駆動で往復回動するカム部材１５により、入賞球集合通路９に集められた入賞球を１個ずつ排出通路１６に排出すると同時にリンク機構を動かして景品球払出装置１２を作動し、所定数の景品球を排出樋１７を介して遊技盤４前面に排出するようにしている。また、前記板状部６ａのほぼ中央部には相対的に大きな窓孔１８が形成される。この窓孔１８は、入賞球集合カバー７よりやや小さく開口されていてパチンコ機１の動作状態を制御するための回路基板を収納した基板ボックス１９を突出させている。
【０００９】
更に、前記機構板６には、板状部６ａの裏面下部の所定位置にターミナルボツクス２０が取付けられている。該ターミナルボツクス２０には入賞球排出処理装置１３のモータ１４などの各種電気的作動機器からの配線が接続される。また、前記板状部６ａの上部の所定位置にもターミナルボツクス２１が取付けられている。そして、前記ターミナルボツクス２０からコネクタ２２を介して引き出される配線は窓孔１８の周縁に沿って形成された溝状の配線収納部２３内を通り上部のターミナルボツクス２１にコネクタ２４を介して接続される。
【００１０】
しかして、前記機構板６の上部に取付けられるターミナルボツクス２１は、図２乃至図４に示すように長方形状の前面板２５の一側に膨出段部２６を形成し、それら周囲を側枠２７で囲い後面を開放した合成樹脂製のカバー本体２８から成る。該カバー本体２８内には配線基板２９が配置されあらかじめ固定される。該配線基板２９には前面板２５に形成される各開孔３０を介して外部に露出するトランジスタ３１，３２，各種抵抗器３３，３３…並びに主電源配線用ヒューズ３４がそれぞれ設けられている。３５は前記コネクタ２４が接続される接続端子である。
また、膨出段部２６上面にも開孔３０を介して不正検知情報の配線用接続端子３６，大当り情報の配線用接続端子３７，補給情報の配線用接続端子３８，及び発射装置制御の配線用接続端子３９がそれぞれ設けられている。
【００１１】
そして、前記下部側枠２７ａの外側面にはその両側に先端に鉤状部４０，４０を設けた係止片４１ａ，４１ａを突設し、また上部側枠２７ｂの外側面にもその両側に先端に鉤状部４０，４０を設けた係止片４１ｂ，４１ｂを突設している。ただし、これら係止片４１ｂ，４１ｂは前記係止片４１ａ，４１ａより若干長く形成され、しかも上部側枠２７ｂより外側に設けられている。更に詳しく説明すると、図４に示すように配線基板２９は側枠２７の後端縁より内側に位置しているのに対し、上部側枠２７ｂの各係止片４１ｂはその上部側枠２７ｂの外側に設けられ、しかもその後端縁から後方へ突出すると共にその先端に鉤状部４０が設けられているので、各鉤状部４０が配線基板２９より後方に位置しかつ係止片４１ｂが撓んだとき前記配線基板２９に触れないように設けられていることとなる。
【００１２】
一方、機構板６には前記ターミナルボツクス２１と略同じ大きさの長方形状の囲枠４２が形成されており、該囲枠４２内には四隅部にそれぞれ該囲枠４２の先端縁より突出する支持筒４３，４３…が突設されている。また、前記囲枠４２のうち下部囲枠４２ａの両側外面には前記ターミナルボツクス２１の下部側枠２７ａに設けた各係止片４１ａ，４１ａと対応する位置に係合孔４４，４４を設けた係止部４５ａ，４５ａが設けられている。該各係合孔４４，４４は下部囲枠４２ａに設けた切欠部４６，４６を介して連通している。更に、上部囲枠４２ｂの両側外面には各係止片４１ｂ，４１ｂと対応する位置に係合孔４４，４４を設けた係止部４５ｂ，４５ｂが設けられるが、これら係止部４５ｂ，４５ｂは前記係止片４１ｂ，４１ｂが係止片４１ａ，４１ａより長いため、その分前記係止部４５ａ，４５ａより前方へ位置をずらせて形成されている。
【００１３】
次に、上記構成よりなるターミナルボツクス２１の取付方法について説明する。まず、ターミナルボツクス２１を係止片４１ａ，４１ａを下側にして機構板６の囲枠４２に対向位置させ、前記各係止片４１ａ，４１ａ先端の鉤状部４０，４０を切欠部４６，４６を介して各係止部４５ａ，４５ａの係合孔４４，４４に係合させる。次に、前面板２５の上側面を押して係止片４１ｂ，４１ｂ先端の鉤状部４０，４０を各係止部４５ｂ，４５ｂの係合孔４４，４４に押し込み係合させる。この際、各鉤状部４０，４０は係止片４１ｂ，４１ｂの弾性に抗して係合することになり、係合した後はターミナルボツクス２１をしっかりと固定する。また、前記各係止片４１ｂはその鉤状部４０が配線基板２９より後方に位置しかつ撓んだとき前記配線基板２９に触れないように設けられていることから、ターミナルボックス２１を取り付ける際に、各係止片４１ｂが配線基板２９に触れることが無く、このため配線基板２９が撓んだりして破損するのを防止することができる。そして、内部に配置された配線基板２９は四隅部を前記支持筒４３，４３…により押圧され、ガタ付くことなくしっかりと固定される。
【００１４】
また、ターミナルボツクス２１を取外すには、上部側枠２７ｂの各係止片４１ｂ，４１ｂをその弾性に抗して押圧して、両係合孔４４，４４から両鉤状部４０，４０を抜き取り、続いて下部側枠２７ａの各係合孔４４，４４から鉤状部４０，４０を抜き取る。このように係止片４１ａ，４１ｂを設け、その先端の鉤状部４０を係合孔４４に係合させるようにしたので、係合する際、上部側枠２７ｂの係止片４１ｂ，４１ｂが弾力的に撓み、鉤状部４０が簡単に係合でき、これによりターミナルボックス２１の取り付け取り外し作業が容易に行なえることとなる。
【００１５】
図５は、ターミナルボックス２１において上部側枠２７ｂの各係止片４１ｂ，４１ｂの根元部に切欠き５５，５５を設けると共に機構板６側にも、上部囲枠４２ｂに係合孔４４，４４と連通する切欠き５６，５６を設けて構成されており、このような手段を採っても前記と同様にターミナルボックス２１を機構板６に容易に取付け又は取外しできる。
【００１６】
図６と図７は機構板６の下部に装着されるターミナルボツクス２０の取付構造を示す。該ターミナルボツクス２０も前面板２５’の周囲を側枠２７’で囲い後面を開放した合成樹脂製のカバー本体２８’から成り、該カバー本体２８’内には配線基板２９’が配置されている。該配線基板２９’には前面板２５’の各開孔３０’，３０´…を介して外部に露出する役物電源供給端子４７，スピーカー端子４８、玉切りモータ端子４９等又は発射モータ電源端子５０がそれぞれ設けられている。５１はコネクタ２２を介して前記ターミナルボツクス２１へ配線を接続するための接続端子である。
【００１７】
前記右側枠２７’ａの外側面には略中央に先端に鉤状部４０を設けた係止片５２ａを一体に延設し、また左側枠２７’ｂの外側面にはその両側に先端に鉤状部４０，４０を設けた２本の係止片５２ｂ，５２ｂを一体に延設している。また、機構板６には前記ターミナルボツクス２０と略同じ大きさの平板部５３が形成され、該平板部５３の四隅部にはそれぞれ前記と同様ターミナルボツクス２０内の配線基板２９’を押圧固定する支持筒５４，５４…が突設されている。また、平板部５３の右側には前記係止片５２ａと対応する位置に係合孔４４が開設され、また左側には前記両係止片５２ｂ，５２ｂと対応する位置に同じく２個の係合孔４４，４４を開設している。
【００１８】
そして、まず左側の両係合孔４４，４４に各係止片５２ｂ，５２ｂ先端の鉤状部４０，４０を係合させ、続き右側の係合孔４４に係止片５２ａを押し込んで係合させる。また、取り外す時は、右側の係止片５２ａをその弾発力に抗して押さえ係合孔４４から鉤状部４０を抜き取り、続いて左側の係合孔４４，４４から鉤状部４０，４０を抜くようにする。この場合も、前記と同様、ターミナルボツクス２０の取付け取外し作業が容易に行なえる。
【００１９】
この場合も、図７に示すように、前記各係止片５２ａ、５２ｂは、その鉤状部４０が配線基板２９’より後方に位置しかつ撓んだとき前記配線基板２９’に触れないように設けられている、すなわち、各係止片５２ａ，５２ｂは、側枠２７’ａ、２７’ｂの外側に設けられ、しかも側枠２７’ａ、２７’ｂに配線基板２９’より後方に位置するようにして設けられていることから、ターミナルボックス２０を取り付ける際に、各係止片５２ａ、５２ｂが配線基板２９’に触れることが無く、このため配線基板２９’が撓んだりして破損するのを防止することができる。更に、鉤状部４０を設けた各係止片５２ａ、５２ｂは、側枠２７’ａ、２７’ｂの外側面より外側に配置されかつ鉤状部４０が側枠２７’ａ、２７’ｂの後端縁より後方に位置しているので、例えば、製品として工場から出荷する場合など輸送効率を上げるため減容手段が採られるが、このための製品の重ね合わせが楽であり、鉤状部４０を破損させるといったことも少ない。
【００２０】
【発明の効果】
以上のように、本発明によればターミナルボックスを従来の如く多くのビス止めをすることなく機構板に簡単に取付けることができ、ターミナルボツクスの取付け、取外しが容易となり、これら取付・交換作業の迅速化並びに簡略化が図れる。また、前記各係止片は配置される配線基板より後方に位置し撓んだとき前記配線基板に触れないように設けられていることから、ターミナルボックスを取り付ける際に、各係止片が配線基板に触れることが無く、このため配線基板が撓んだりして破損するのを防止することができる。
【００２１】
また、前記ターミナルボックス内部に配置された配線基板は前記支持筒により押圧され、ガタ付くことなくしっかりと固定される。
【図面の簡単な説明】
【図１】本発明が適用されるパチンコ機の裏面図。
【図２】ターミナルボツクスが取付けられた機構板の要部の斜視図。
【図３】ターミナルボツクスを取外して示す機構板の要部の斜視図。
【図４】図２におけるＸーＸ線拡大断面図。
【図５】係止片の他の使用例を示すターミナルボックスの斜視図。
【図６】他の実施例のターミナルボツクスを取外して示す機構板の要部斜視図。
【図７】同ターミナルボツクスが取付けられた状態を示す機構板の要部拡大断面図。
【図８】従来のターミナルボツクスを取外して示す機構板の要部の斜視図。
【符号の説明】
１                  パチンコ機
３                  遊技盤取付枠
４                  遊技盤
６                  機構板
２０，２１          ターミナルボツクス
２７、２７’        側枠
２８                カバー体
２９、２９’        配線基板
３５                接続端子
４０                鉤状部
４１ａ，４１ｂ      係止片
４３                支持筒
４４                係合孔
４８                スピーカー端子
５０                発射モータ電源端子
５２ａ，５２ｂ      係止片
５４                支持筒
【図１】
0003553618.tif 000002
【図２】
0003553618.tif 000003
【図３】
0003553618.tif 000004
【図４】
0003553618.tif 000005
【図５】
0003553618.tif 000006
【図６】
0003553618.tif 000007
【図７】
0003553618.tif 000008
【図８】
0003553618.tif 000009